(57)【要約】  本発明は、高速ダウンリンクパケットアクセス（ＨＳＤＰＡ）におけるライセンスの制御方法を開示している。該方法は、基地局の同時にアクティブなＨＳＤＰＡユーザ数、高速物理ダウンリンク共有チャネル（ＨＳ−ＰＤＳＣＨ）ライセンスコード数、ＨＳ−ＰＤＳＣＨの変調方式、及びＨＳＤＰＡスループットのうち１つ又は任意の組合せを制御することにより、ＨＳＤＰＡにおけるライセンスを制御することを含む。また、本発明は、ＨＳＤＰＡにおけるライセンス制御を実現する基地局を開示している。該基地局は、ユーザ数制御モジュール、ライセンスコード数制御モジュール、変調方式制御モジュール、及びスループット制御モジュールのうち１つ又は任意の組合せを含む。本発明は、ＨＳＤＰＡにおけるライセンスの制御を実現することができ、事業者の要求及びネットワークの実際状況に基づいてネットワークの最適化を実現することができる。
2009522883.tif 000002
【特許請求の範囲】
【請求項１】
高速ダウンリンクパケットアクセス（ＨＳＤＰＡ）におけるライセンスの制御方法であって、
基地局の同時にアクティブなＨＳＤＰＡユーザ数、高速物理ダウンリンク共有チャネル（ＨＳ−ＰＤＳＣＨ）ライセンスコード数、ＨＳ−ＰＤＳＣＨの変調方式、及びＨＳＤＰＡスループットのうち１つ又は任意の組合せを制御することにより、ＨＳＤＰＡにおけるライセンスを制御することを含むことを特徴とする方法。
【請求項２】
基地局の同時にアクティブ可能なＨＳＤＰＡユーザの最大数を予め設定し、
前記基地局の同時にアクティブなＨＳＤＰＡユーザ数を制御することは、
基地局のＨＳＤＰＡユーザ変化が現れる際、前記ユーザ変化がＨＳＤＰＡユーザ確立であるかどうかを判断し、ＨＳＤＰＡユーザ確立である場合、ステップＡ２を実行し、ＨＳＤＰＡユーザ確立ではない場合、今回のユーザ変化前の基地局の同時にアクティブなＨＳＤＰＡユーザ数から１を引くことにより、基地局の同時にアクティブなＨＳＤＰＡユーザ数を更新し、本ステップに戻るステップＡ１と、
基地局の同時にアクティブなＨＳＤＰＡユーザ数と１との和が基地局の同時にアクティブ可能なＨＳＤＰＡユーザの最大数より大きいかどうかを判断し、大きい場合、該ユーザの確立を拒絶して、ステップＡ１に戻り、大きくない場合、該ユーザの確立を許可して、ユーザ変化前の基地局の同時にアクティブなＨＳＤＰＡユーザ数に１を足すことにより、基地局の同時にアクティブなＨＳＤＰＡユーザ数を更新し、その後ステップＡ１に戻るステップＡ２とを含むことを特徴とする請求項１に記載の方法。
【請求項３】
前記ステップＡ１の前に、基地局の同時にアクティブなＨＳＤＰＡユーザ数を０に初期化することをさらに含むことを特徴とする請求項２に記載の方法。
【請求項４】
前記ＨＳ−ＰＤＳＣＨライセンスコード数を制御することは、
無線ネットワークコントローラ（ＲＮＣ）が基地局のカバーするセルのコード数を変更しようとするとき、変更後該セルに割当てられるＨＳ−ＰＤＳＣＨライセンスコード数を決定し、かつ基地局のカバーする他セルに割当てられるＨＳ−ＰＤＳＣＨライセンスコード数の和を決定するステップＢ１と、
基地局のカバーする変更セル以外の他セルに割当てられるＨＳ−ＰＤＳＣＨライセンスコード数の和に、変更後変更セルに割当てられるＨＳ−ＰＤＳＣＨライセンスコード数を足した結果が、基地局のＨＳ−ＰＤＳＣＨライセンスコード数より大きいかどうかを判断し、大きい場合、該セルに割当てられるＨＳ−ＰＤＳＣＨライセンスコード数を、基地局のＨＳ−ＰＤＳＣＨライセンスコード数から前記他セルに割当てられるＨＳ−ＰＤＳＣＨライセンスコード数の和を引いた差に等しくし、ステップＢ１に戻り、大きくない場合、該セルに割当てられるＨＳ−ＰＤＳＣＨライセンスコード数を変更後の割当てられるＨＳ−ＰＤＳＣＨライセンスコード数に等しくし、ステップＢ１に戻るステップＢ２とを含むことを特徴とする請求項１に記載の方法。
【請求項５】
前記ステップＢ１の前に、ネットワーク計画に従って基地局のカバーするセルにＨＳ−ＰＤＳＣＨライセンスコードを割当てることをさらに含むことを特徴とする請求項４に記載の方法。
【請求項６】
前記ＨＳ−ＰＤＳＣＨチャネルの変調方式を制御することは、
ＨＳＤＰＡライセンスが１６ＱＡＭの要求を満たす場合、１６ＱＡＭをＨＳ−ＰＤＳＣＨチャネルの変調方式に決定することを含むことを特徴とする請求項１に記載の方法。
【請求項７】
測定周期内のＩＵＢインターフェーススループット閾値を予め設定し、
前記ＨＳＤＰＡスループットを制御することは、
ＩＵＢインターフェースを介してＨＳＤＰＡデータパケットを受信し、
現在の測定周期内でＩＵＢインターフェースを通過したＨＳＤＰＡスループットを計算し、
現在の測定周期内のＨＳＤＰＡスループットが前記インターフェーススループット閾値より小さい場合、ＲＮＣからＨＳＤＰＡデータパケットを送信することを許可することを含むことを特徴とする請求項１に記載の方法。
【請求項８】
現在の測定周期内でＩＵＢインターフェースを通過したＨＳＤＰＡスループットを計算した後に、
現在の測定周期内のＨＳＤＰＡスループットが前記ＩＵＢインターフェーススループット閾値以上である場合、フロー制御メカニズムにより、ＲＮＣからＨＳＤＰＡデータパケットを送信することを禁止することをさらに含むことを特徴とする請求項７に記載の方法。
【請求項９】
高速ダウンリンクパケットアクセス（ＨＳＤＰＡ）におけるライセンス制御を実現する基地局であって、
基地局の同時にアクティブなＨＳＤＰＡユーザ数を制御するユーザ数制御モジュールと、
基地局のカバーするセルのＨＳ−ＰＤＳＣＨライセンスコード数を制御するライセンスコード数制御モジュールと、
ＨＳ−ＰＤＳＣＨチャネルの変調方式を決定する変調方式制御モジュールと、
基地局と無線ネットワークコントローラとの間のＩＵＢインターフェースのスループットを制御するスループット制御モジュールとのうち１つ又は任意の組合せを含むことを特徴とする基地局。
【請求項１０】
前記ユーザ数制御モジュールが、
基地局の同時にアクティブ可能なＨＳＤＰＡユーザの最大数を設定する設定手段と、
基地局のＨＳＤＰＡユーザ変化が現れるかどうかを判断する第１判断手段と、
前記ＨＳＤＰＡユーザ変化がＨＳＤＰＡユーザ削除であるか又はＨＳＤＰＡユーザ確立であるかを判断する第２判断手段と、
ＨＳＤＰＡユーザ確立であると前記第２判断手段により判断された場合、基地局の同時にアクティブなＨＳＤＰＡユーザ数と１との和を、前記設定手段で設定された、基地局の同時にアクティブ可能なＨＳＤＰＡユーザの最大数と比較する比較手段と、
第２判断手段の判断結果又は比較手段の比較結果に基づいて、基地局の同時にアクティブなＨＳＤＰＡユーザ数を計算して更新する計算手段と、
前記計算手段からの計算結果に基づいて、ＨＳＤＰＡユーザに対して処理を行う処理手段と、
を含むことを特徴とする請求項９に記載の基地局。
【請求項１１】
前記ライセンスコード数制御モジュールが、
ＲＮＣにより割当てられた、基地局のカバーするセルのＨＳ−ＰＤＳＣＨライセンスコードを受信した際、該セルのＨＳ−ＰＤＳＣＨライセンスコード数が変更されるかどうかを判断するコード数判断手段と、
該セルのＨＳ−ＰＤＳＣＨライセンスコード数が変更されると前記コード数判断手段により判断された場合、該セルに割当てられるＨＳ−ＰＤＳＣＨライセンスコード数を決定し、該基地局のカバーする他セルに割当てられるＨＳ−ＰＤＳＣＨライセンスコード数の和を決定するコード数処理手段と、
該基地局のカバーする該セル以外の他セルに割当てられるＨＳ−ＰＤＳＣＨライセンスコード数の和に、該セルに割当てられるＨＳ−ＰＤＳＣＨライセンスコード数を足した結果を、基地局のＨＳ−ＰＤＳＣＨライセンスコード数と比較するコード数比較手段と、
前記コード数比較手段からの比較結果に基づいて、該セルに割当てられるＨＳ−ＰＤＳＣＨライセンスコード数を決定するコード数管理手段と、
を含むことを特徴とする請求項９に記載の基地局。
【請求項１２】
前記変調方式制御モジュールが、
ＨＳＤＰＡライセンスが１６ＱＡＭの要求を満たすかどうかを判断する変調方式判断手段と、
前記変調方式判断手段からの判断結果に基づいて、ＨＳ−ＰＤＳＣＨチャネルの変調方式を選択する変調方式選択手段と、
を含むことを特徴とする請求項９に記載の基地局。
【請求項１３】
前記スループット制御モジュールが、
測定周期内のＩＵＢインターフェーススループット閾値を設定する閾値設定手段と、
前記測定周期内で前記ＩＵＢインターフェースを通過したＨＳＤＰＡスループットを計算するスループット計算手段と、
前記スループット計算手段からのＨＳＤＰＡスループットをＩＵＢインターフェーススループット閾値と比較するスループット比較手段と、
前記スループット比較手段からの比較結果に基づいて、ＲＮＣからＨＳＤＰＡデータパケットを送信することを制御するスループット制御手段と、
を含むことを特徴とする請求項９に記載の基地局。
【発明の詳細な説明】
【技術分野】
【０００１】
本発明は、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）技術に関し、特にＨＳＤＰＡにおけるライセンス（Ｌｉｃｅｎｓｅ）の制御方法及びＨＳＤＰＡにおけるライセンス制御を実現する基地局に関する。
【背景技術】
【０００２】
ＨＳＤＰＡは、第３世代パートナーシッププロジェクト（３ＧＰＰ：Ｔｈｉｒｄ  Ｇｅｎｅｒａｔｉｏｎ  Ｐａｒｔｅｒｓｈｉｐ  Ｐｒｏｊｅｃｔ）Ｒ５バージョンのプロトコルによって導入された前進した技術であり、アップリンク／ダウンリンクデータサービスの非対称的な要求を満たすために提出された新たな技術である。ＨＳＤＰＡ技術は、既に構築されたＷＣＤＭＡネットワーク構成を変化せずに、ダウンリンクデータレートを最高１４Ｍｂｐｓに向上させることができるため、ＷＣＤＭＡネットワークの構築後期にダウンリンク容量とデータレートを向上させる重要な技術であり、ＷＣＤＭＡの無線部分における強化及び進化である。
【０００３】
ＨＳＤＰＡでは、現有の物理チャネルに、高速物理ダウンリンク共有チャネル（ＨＳ−ＰＤＳＣＨ：Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、高速共有制御チャネル（ＨＳ−ＳＣＣＨ：Ｈｉｇｈ  Ｓｐｅｅｄ  Ｓｈａｒｅｄ  Ｃｏｎｔｒｏｌ  Ｃｈａｎｎｅｌ）、及び高速個別物理制御チャネル（ＨＳ−ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）である３つの新たなチャネルが追加されている。ここで、ＨＳ−ＰＤＳＣＨチャネルは、ＨＳＤＰＡのダウンリンク伝送チャネルのサービスデータを搭載することに用いられ、その拡散率が固定の１６であり、４位相偏移変調（ＱＰＳＫ：Ｑｕａｄｒａｔｕｒｅ  Ｐｈａｓｅ  Ｓｈｉｆｔ  Ｋｅｙｉｎｇ）又は１６直交振幅変調（ＱＡＭ：Ｑｕａｄｒａｔｕｒｅ  Ａｍｐｌｉｔｕｄｅ  Ｍｏｄｕｌａｔｉｏｎ）の変調方式を採用する。各セルに最大１５本のＨＳ−ＰＤＳＣＨを配置することができ、かつＨＳ−ＰＤＳＣＨのチャネルコードが連続しなければならない。ＨＳ−ＳＣＣＨチャネルは、ＨＳ−ＰＤＳＣＨチャネルにおけるダウンリンクデータの復調に必要な制御情報を搭載することに用いられ、該チャネルの拡散率が固定の１２８であり、ＱＰＳＫの変調方式を採用する。ＨＳ−ＤＰＣＣＨは、ダウンリンクＨＳ−ＰＤＳＣＨに関するアップリンクフィードバック情報を搭載することに用いられ、確認応答（ＡＣＫ）／否定応答（ＮＡＣＫ）やチャネル品質指示（ＣＱＩ）などの情報を含み、ＨＳ−ＤＰＣＣＨチャネルの拡散率が固定の２５６である。
【発明の開示】
【発明が解決しようとする課題】
【０００４】
実際の応用において、通信機器の各メーカーで提供された機器のＨＳＤＰＡサポート能力が違うし、各事業者による機器のＨＳＤＰＡ関連処理能力への要求も違う。事業者にとっては、各段階において機器能力に対する要求が違い、すなわち、ネットワークの構築初期において機器の処理能力に対する要求が低いが、時間の推移につれて、顧客が次々に増加しているので、サービス要求も益々高くなり、このとき、機器の処理能力に対する要求も益々高くなる。初期の投資コストを低減させるために、事業者が機器を購入するとき、通常、最初のサービス要求に基づいて機器能力の一部分を購入し、後で具体的な要求に応じて他の部分を購入する。このように、事業者の購入する機器の処理能力範囲を明確に特定するために、機器メーカーは、事業者に対する課金を便利にするように、ライセンスを採用して機器の処理能力を制御する。
【０００５】
現在、理論上ライセンスを採用して機器の処理能力を制御するのであるが、ＨＳＤＰＡに関するプロトコルには、基地局に対してライセンス制御を実行する具体的な手段が規定されていない。
【課題を解決するための手段】
【０００６】
上記に鑑みて、本発明は、ＨＳＤＰＡをサポートする基地局の保有しているライセンスに対する制御を実行できる、ＨＳＤＰＡにおけるライセンスの制御方法を提供している。
【０００７】
本発明に係るライセンスの制御方法は、基地局の同時にアクティブなＨＳＤＰＡユーザ数、高速物理ダウンリンク共有チャネル（ＨＳ−ＰＤＳＣＨ）ライセンスコード数、ＨＳ−ＰＤＳＣＨの変調方式、及びＨＳＤＰＡスループットのうち１つ又は任意の組合せを制御することにより、ＨＳＤＰＡにおけるライセンスを制御することを含む。
【０００８】
ここで、基地局の同時にアクティブ可能なＨＳＤＰＡユーザの最大数を予め設定し、前記基地局の同時にアクティブなＨＳＤＰＡユーザ数を制御することは、
基地局のＨＳＤＰＡユーザ変化が現れる際、前記ユーザ変化がユーザ確立であるかどうかを判断し、ユーザ確立である場合、ステップＡ２を実行し、ユーザ確立ではない場合、今回のユーザ変化前の基地局の同時にアクティブなＨＳＤＰＡユーザ数から１を引くことにより、基地局の同時にアクティブなＨＳＤＰＡユーザ数を更新し、本ステップに戻るステップＡ１と、
基地局の同時にアクティブなＨＳＤＰＡユーザ数と１との和が基地局の同時にアクティブ可能なＨＳＤＰＡユーザの最大数より大きいかどうかを判断し、大きい場合、該ユーザの確立を拒絶して、ステップＡ１に戻り、大きくない場合、該ユーザの確立を許可して、ユーザ変化前の基地局の同時にアクティブなＨＳＤＰＡユーザ数に１を足すことにより、基地局の同時にアクティブなＨＳＤＰＡユーザ数を更新し、その後ステップＡ１に戻るステップＡ２とを含む。
【０００９】
好ましくは、前記ステップＡ１の前に、基地局の同時にアクティブなＨＳＤＰＡユーザ数を０に初期化することをさらに含む。
【００１０】
ここで、前記ＨＳ−ＰＤＳＣＨライセンスコード数を制御することは、
無線ネットワークコントローラ（ＲＮＣ）が基地局のカバーするセルのコード数を変更しようとするとき、変更後該セルに割当てられるＨＳ−ＰＤＳＣＨライセンスコード数を決定し、かつ基地局のカバーする他セルに割当てられるＨＳ−ＰＤＳＣＨライセンスコード数の和を決定するステップＢ１と、
基地局のカバーする変更セル以外の他セルに割当てられるＨＳ−ＰＤＳＣＨライセンスコード数の和に、変更後変更セルに割当てられるＨＳ−ＰＤＳＣＨライセンスコード数を足した結果が、基地局のＨＳ−ＰＤＳＣＨライセンスコード数より大きいかどうかを判断し、大きい場合、該セルに割当てられるＨＳ−ＰＤＳＣＨライセンスコード数を、基地局のＨＳ−ＰＤＳＣＨライセンスコード数から前記他セルに割当てられるＨＳ−ＰＤＳＣＨライセンスコード数の和を引いた差に等しくし、ステップＢ１に戻り、大きくない場合、該セルに割当てられるＨＳ−ＰＤＳＣＨライセンスコード数を変更後の割当てられるＨＳ−ＰＤＳＣＨライセンスコード数に等しくし、ステップＢ１に戻るステップＢ２とを含む。
【００１１】
好ましくは、前記ステップＢ１の前に、ネットワーク計画に従って基地局のカバーするセルにＨＳ−ＰＤＳＣＨライセンスコードを割当てることをさらに含む。
【００１２】
ここで、前記ＨＳ−ＰＤＳＣＨチャネルの変調方式を制御することは、
ＨＳＤＰＡライセンスが１６ＱＡＭの要求を満たす場合、１６ＱＡＭをＨＳ−ＰＤＳＣＨチャネルの変調方式に決定することを含む。
【００１３】
ここで、測定周期内のＩＵＢインターフェーススループット閾値を予め設定し、前記ＨＳＤＰＡスループットを制御することは、
ＩＵＢインターフェースを介してＨＳＤＰＡデータパケットを受信し、
現在の測定周期内でＩＵＢインターフェースを通過したＨＳＤＰＡスループットを計算し、
現在の測定周期内のＨＳＤＰＡスループットが前記インターフェーススループット閾値より小さい場合、ＲＮＣからＨＳＤＰＡデータパケットを送信することを許可することを含む。
【００１４】
好ましくは、現在の測定周期内でＩＵＢインターフェースを通過したＨＳＤＰＡスループットを計算した後に、
現在の測定周期内のＨＳＤＰＡスループットが前記ＩＵＢインターフェーススループット閾値以上である場合、フロー制御メカニズムにより、ＲＮＣからＨＳＤＰＡデータパケットを送信することを禁止することをさらに含む。
【００１５】
また、本発明は、ＨＳＤＰＡをサポートする基地局の保有しているライセンスに対する制御を実行できる、ＨＳＤＰＡにおけるライセンス制御を実現する基地局を提供している。該基地局は、
基地局の同時にアクティブなＨＳＤＰＡユーザ数を制御するユーザ数制御モジュールと、
基地局のカバーするセルのＨＳ−ＰＤＳＣＨライセンスコード数を制御するライセンスコード数制御モジュールと、
ＨＳ−ＰＤＳＣＨチャネルの変調方式を決定する変調方式制御モジュールと、
基地局と無線ネットワークコントローラとの間のＩＵＢインターフェースのスループットを制御するスループット制御モジュールとのうち１つ又は任意の組合せを含む。
【００１６】
好ましくは、前記ユーザ数制御モジュールが、
基地局の同時にアクティブ可能なＨＳＤＰＡユーザの最大数を設定する設定手段と、
基地局のＨＳＤＰＡユーザ変化が現れるかどうかを判断する第１判断手段と、
前記ＨＳＤＰＡユーザ変化がＨＳＤＰＡユーザ削除であるか又はＨＳＤＰＡユーザ確立であるかを判断する第２判断手段と、
前記第２判断手段によりＨＳＤＰＡユーザ確立であると判断された場合、基地局の同時にアクティブなＨＳＤＰＡユーザ数と１との和を、前記設定手段で設定された、基地局の同時にアクティブ可能なＨＳＤＰＡユーザの最大数と比較する比較手段と、
第２判断手段の判断結果又は比較手段の比較結果に基づいて、基地局の同時にアクティブなＨＳＤＰＡユーザ数を計算して更新する計算手段と、
前記計算手段からの計算結果に基づいて、ＨＳＤＰＡユーザに対して処理を行う処理手段とを含む。
【００１７】
好ましくは、前記ライセンスコード数制御モジュールが、
ＲＮＣにより割当てられた、基地局のカバーするセルのＨＳ−ＰＤＳＣＨライセンスコードを受信した際、該セルのＨＳ−ＰＤＳＣＨライセンスコード数が変更されるかどうかを判断するコード数判断手段と、
該セルのＨＳ−ＰＤＳＣＨライセンスコード数が変更されると前記コード数判断手段により判断された場合、該セルに割当てられるＨＳ−ＰＤＳＣＨライセンスコード数を決定し、該基地局のカバーする他セルに割当てられるＨＳ−ＰＤＳＣＨライセンスコード数の和を決定するコード数処理手段と、
該基地局のカバーする該セル以外の他セルに割当てられるＨＳ−ＰＤＳＣＨライセンスコード数の和に、該セルに割当てられるＨＳ−ＰＤＳＣＨライセンスコード数を足した結果を、基地局のＨＳ−ＰＤＳＣＨライセンスコード数と比較するコード数比較手段と、
前記コード数比較手段からの比較結果に基づいて、該セルに割当てられるＨＳ−ＰＤＳＣＨライセンスコード数を決定するコード数管理手段とを含む。
【００１８】
好ましくは、前記変調方式制御モジュールが、
ＨＳＤＰＡライセンスが１６ＱＡＭの要求を満たすかどうかを判断する変調方式判断手段と、
前記変調方式判断手段からの判断結果に基づいて、ＨＳ−ＰＤＳＣＨチャネルの変調方式を選択する変調方式選択手段とを含む。
【００１９】
好ましくは、前記スループット制御モジュールが、
測定周期内のＩＵＢインターフェーススループット閾値を設定する閾値設定手段と、
前記測定周期内で前記ＩＵＢインターフェースを通過したＨＳＤＰＡスループットを計算するスループット計算手段と、
前記スループット計算手段からのＨＳＤＰＡスループットをＩＵＢインターフェーススループット閾値と比較するスループット比較手段と、
前記スループット比較手段からの比較結果に基づいて、ＲＮＣからＨＳＤＰＡデータパケットを送信することを制御するスループット制御手段とを含む。
【発明の効果】
【００２０】
本発明を応用して、基地局の保有しているライセンスに対する制御を実行することができる。具体的に、本発明は、基地局の同時にアクティブなユーザ数、ＨＳ−ＰＤＳＣＨライセンスコード数、ＨＳ−ＰＤＳＣＨチャネルの変調方式、及びＨＳＤＰＡスループットの中から任意の１つ、２つ、３つ又は全部を選択して制御指標とし、ＨＳＤＰＡにおけるライセンスの制御を実現することができる。これによって、事業者の要求及びネットワークの実際状況に基づいてネットワークの最適化を実現することができる。
【発明を実施するための最良の形態】
【００２１】
本発明の目的と解決手段をさらに明確にするために、以下、図面を参照して実施例を挙げながら、本発明についてさらに詳しく説明する。
【００２２】
本発明の実施例では、ＨＳＤＰＡにおけるライセンスの制御方法が提供されており、基地局の同時にアクティブなユーザ数、ＨＳ−ＰＤＳＣＨライセンスコード数、ＨＳ−ＰＤＳＣＨチャネルの変調方式、及びＨＳＤＰＡスループットのうち１つ又は任意の組合せに対して制御を行う。
【００２３】
以下、本発明に係るライセンスの制御方法を具体的に説明する。
【００２４】
（実施例１）
基地局の同時にアクティブなＨＳＤＰＡユーザ数を制御することによりＨＳＤＰＡにおけるライセンスの制御を実現する。
【００２５】
移動通信ネットワークにおいて、同時にオンラインしているユーザにとって、ある時間帯でデータ伝送の要求があるユーザは、一部のみであり、例えば、密集都市では３０パーセントであり、単一ユーザにとって、該ユーザのデータ伝送の要求がある時間は、そのオンライン時間の一小部分のみを占め、例えば、インターネットブラウザサービスにおいては１４パーセントである。しかし、データ伝送の要求が存在しなくても、ユーザはいつもオンラインしていることが望ましい。したがって、事業者側からみれば、基地局のサポートする同時にアクティブなＨＳＤＰＡユーザ数が多ければ多いほど有利になる。一方、基地局側からみれば、サポートする同時にアクティブなＨＳＤＰＡユーザ数が多ければ多いほど、基地局のリソースの消耗も多くなる。ここからわかるように、基地局のサポートする同時にアクティブなＨＳＤＰＡユーザ数を制御することによっては、ＨＳＤＰＡにおけるライセンスの制御を実現し、ネットワーク配置を最適化することができる。
【００２６】
図１は本実施例に係る基地局の同時にアクティブなＨＳＤＰＡユーザ数の制御方法のフローチャートを示す。基地局の同時にアクティブ可能なＨＳＤＰＡユーザの最大数をＫと仮定し、図１を参照すると、本実施例に係る基地局の同時にアクティブなＨＳＤＰＡユーザ数の制御方法は下記を含む。
【００２７】
ステップ１０１で、基地局のＨＳＤＰＡユーザ数Ｈ−ｕｓｅｒを０に初期化する。
【００２８】
ステップ１０２〜１０３で、基地局のユーザ変化が現れるかどうかを判断し、ユーザ変化が現れる場合、該ユーザがＨＳＤＰＡユーザであるかどうかを判断し、ＨＳＤＰＡユーザであるとき、ステップ１０４に進み、ＨＳＤＰＡユーザではないとき、ステップ１０２に戻る。ユーザ変化がない場合、直接ステップ１０２に戻る。
【００２９】
ここで、２つの判断操作の目的は、基地局のＨＳＤＰＡユーザ変化が現れるかどうかを決定することにある。
【００３０】
ステップ１０４〜１０５で、このときのユーザ変化がユーザ確立であるかどうかを判断し、ユーザ確立である場合、ステップ１０６を実行し、ユーザ確立ではない場合、今回のユーザ変化前の基地局のＨＳＤＰＡユーザ数から１を引くことにより、基地局のＨＳＤＰＡユーザ数を更新して、ステップ１０２に戻る。
【００３１】
基地局のＨＳＤＰＡユーザ変化は、ユーザ確立とユーザ削除とを含む。ユーザ削除の場合、基地局のＨＳＤＰＡユーザが１つ減少しているため、基地局のＨＳＤＰＡユーザ数を更新する。
【００３２】
ステップ１０６〜１０８で、基地局のＨＳＤＰＡユーザ数と１との和が基地局の同時にアクティブ可能なＨＳＤＰＡユーザの最大数Ｋより大きいかどうかを判断し、大きい場合、該ユーザの確立を拒絶して、ステップ１０２に戻り、大きくない場合、該ユーザの確立を許可して、ユーザ変化前の基地局のＨＳＤＰＡユーザ数Ｈ−ｕｓｅｒに１を足すことにより、基地局のＨＳＤＰＡユーザ数を更新し、その後ステップ１０２に戻る。
【００３３】
基地局のＨＳＤＰＡユーザ数と１との和が該基地局の同時にアクティブ可能なＨＳＤＰＡユーザの最大数Ｋを超える場合は、基地局がより多いＨＳＤＰＡユーザにサービスを提供できないことを表すので、該ユーザの確立を拒絶する。該ユーザの確立が許可される場合は、基地局のＨＳＤＰＡユーザが１つ増加しているため、基地局のＨＳＤＰＡユーザ数を更新する必要がある。
【００３４】
ここまで、本実施例において、基地局の同時にアクティブなＨＳＤＰＡユーザ数によりＨＳＤＰＡにおけるライセンスを制御するプロセスが完成する。
【００３５】
上記プロセスからわかるように、基地局の同時にアクティブなＨＳＤＰＡユーザ数を制御し、ユーザと基地局の要求を両方とも配慮し、基地局のサポートする最大ユーザ数を超えない場合、既存のＨＳＤＰＡユーザのうえにユーザを確立することを許可し、ユーザの同時にオンラインする要求が満たされる。一方、サポートする最大ユーザ数を超える場合、ＨＳＤＰＡユーザの確立を許可しない。これにより、ネットワーク側のリソースが足りる限り、最大数のユーザにサービスを提供することができる。
【００３６】
（実施例２）
基地局のＨＳ−ＰＤＳＣＨライセンスコード数を制御することによりＨＳＤＰＡにおけるライセンスの制御を実現する。
【００３７】
ライセンスコードは、ライセンスを持っているＨＳ−ＰＤＳＣＨコードであり、事業者の購入するライセンスの指標の１つである。ＨＳＤＰＡをサポートするネットワークにとって、基地局のＨＳ−ＰＤＳＣＨライセンスコードが多いほど、チャネルのサポートするレートが高くなり、基地局がエアインターフェースでデータを送信する能力が強くなり、基地局のリソースの消耗も多くなる。したがって、基地局のＨＳ−ＰＤＳＣＨライセンスコード数を制御することにより基地局のライセンスを制御することができる。
【００３８】
図２は本実施例においてＨＳ−ＰＤＳＣＨライセンスコード数を制御する方法のフローチャートを示す。図２を参照すると、本実施例におけるＨＳ−ＰＤＳＣＨライセンスコード数を制御する方法は下記を含む。
【００３９】
ステップ２０１で、ネットワーク計画に従って、基地局のカバーするセルにＨＳ−ＰＤＳＣＨライセンスコードを割当てる。
【００４０】
本ステップでは、無線ネットワークコントローラ（ＲＮＣ）がネットワーク計画に従って、基地局の保有しているＨＳ−ＰＤＳＣＨライセンスコードを、基地局のカバーする各セルに割当て、このとき、各セルの得られたＨＳ−ＰＤＳＣＨライセンスコード数が、割当てられるＨＳ−ＰＤＳＣＨライセンスコード数である。
【００４１】
ステップ２０２〜２０４で、ＲＮＣが基地局のカバーするセルのＨＳ−ＰＤＳＣＨライセンスコード数を変更しようとするかどうかを判断し、変更しようとする場合、変更後該セルに割当てられるＨＳ−ＰＤＳＣＨライセンスコード数を決定し、かつ基地局のカバーする他セルに割当てられるＨＳ−ＰＤＳＣＨライセンスコード数の和Ｈ−ｃｏｄｅを決定し、ステップ２０５に進み、変更しようとしない場合、ステップ２０２に戻る。
【００４２】
例えば、あるセルがネットワーク構築時の人口希薄地域からこの時の人口密集地域になるなどの原因で、ＲＮＣがセルのＨＳ−ＰＤＳＣＨライセンスコード数を変更しようとするが、基地局の保有しているＨＳ−ＰＤＳＣＨライセンスコード数が有限であるので、ＲＮＣの協力で、変更後変更セルに割当てられるＨＳ−ＰＤＳＣＨライセンスコード数、及び基地局のカバーする変更セル以外の他セルに割当てられるＨＳ−ＰＤＳＣＨライセンスコード数の和を決定する。これにより、後続ステップにおいて、ＲＮＣがこのような変更を行うことを許可するかどうかの根拠を提供する。
【００４３】
ステップ２０５〜２０７で、基地局のカバーする変更セル以外の他セルに割当てられるＨＳ−ＰＤＳＣＨライセンスコード数の和Ｈ−ｃｏｄｅと、変更後変更セルに割当てられるＨＳ−ＰＤＳＣＨライセンスコード数との和が、基地局のＨＳ−ＰＤＳＣＨライセンスコード数より大きいかどうかを判断し、大きい場合、該セルに割当てられるＨＳ−ＰＤＳＣＨライセンスコード数を基地局のＨＳ−ＰＤＳＣＨライセンスコード数とＨ−ｃｏｄｅとの差に等しくし、ステップ２０２に戻り、大きくない場合、該セルに割当てられるＨＳ−ＰＤＳＣＨライセンスコード数を変更後の割当てられるＨＳ−ＰＤＳＣＨライセンスコード数に等しくし、ステップ２０２に戻る。
【００４４】
基地局のカバーする変更セル以外の他セルに割当てられるＨＳ−ＰＤＳＣＨライセンスコード数の和Ｈ−ｃｏｄｅと、変更後変更セルに割当てられるＨＳ−ＰＤＳＣＨライセンスコード数との和が、該基地局のカバーするすべてのセルのコード変更後のＨＳ−ＰＤＳＣＨライセンスコード数である。基地局のカバーするすべてのセルの変更後のＨＳ−ＰＤＳＣＨライセンスコード数が、該基地局の保有しているＨＳ−ＰＤＳＣＨライセンスコード数を超える場合、基地局のＨＳ−ＰＤＳＣＨライセンスコード数と変更セル以外の他セルに割当てられるＨＳ−ＰＤＳＣＨライセンスコード数の和Ｈ−ｃｏｄｅとの差値を、変更後変更セルに割当てられるＨＳ−ＰＤＳＣＨライセンスコード数とすることしかできない。基地局のカバーするすべてのセルの変更後のＨＳ−ＰＤＳＣＨライセンスコード数が、該基地局の保有しているＨＳ−ＰＤＳＣＨライセンスコード数を超えない場合、ＲＮＣの計画に従って変更セルのＨＳ−ＰＤＳＣＨライセンスコード数を変更することが許可される。
【００４５】
ここまで、本実施例において、基地局のＨＳ−ＰＤＳＣＨライセンスコード数を制御することによりＨＳＤＰＡにおけるライセンスを制御するプロセスが完成する。
【００４６】
上記プロセスからわかるように、基地局のカバーする各セルのＨＳ−ＰＤＳＣＨライセンスコード数を制御し、各セルがＨＳ−ＰＤＳＣＨライセンスコード数に反対する要求と、基地局のＨＳ−ＰＤＳＣＨライセンスコード数が有限である状況とを平衡させ、基地局のＨＳ−ＰＤＳＣＨライセンスコード数が足りない場合、変更セルにＨＳ−ＰＤＳＣＨライセンスコードを最大限に提供する。これにより、ネットワーク側のリソースが足りる限り、セルに最大数のＨＳ−ＰＤＳＣＨライセンスコードを提供することができる。
【００４７】
（実施例３）
変調方式を制御することによりＨＳＤＰＡにおけるライセンスの制御を実現する。
表１は、３ＧＰＰ ＴＳ ２５．２１４に規定されている、ユーザ機器（ＵＥ）の能力レベルが１０であるときのチャネル品質指示（ＣＱＩ）のマッピングテーブルである。
【００４８】
【表１】
2009522883.tif 000003
【００４９】
表１に示すように、ＨＳ−ＰＤＳＣＨライセンスコード数が同じである場合、変調方式が１６ＱＡＭであるときサポートする伝送ブロックは、変調方式がＱＰＳＫであるときサポートする伝送ブロックより大きい。したがって、ＨＳＤＰＡライセンスが１６ＱＡＭの要求を満たすかどうかを判断し、満たす場合、１６ＱＡＭの変調方式を好ましいものとし、即ち１６ＱＡＭをサポートするとき、１６ＱＡＭを変調方式として選択し、満たさない場合、ＱＰＳＫを変調方式として選択する。変調方式に対する制御により、ＨＳ−ＰＤＳＣＨライセンスコード数が同じである場合、より多いデータを伝送することができ、ＨＳＤＰＡにおけるライセンスの能力を向上させる。
【００５０】
（実施例４）
ＨＳＤＰＡスループットを制御することによりＨＳＤＰＡにおけるライセンスの制御を実現する。
【００５１】
ＨＳＤＰＡにおいて、基地局とＲＮＣとがＩＵＢインターフェースを介して接続されるため、ＩＵＢインターフェースのスループットを制御することによりＨＳＤＰＡにおけるライセンスの制御を実現することができる。具体的に、測定周期内のＩＵＢインターフェーススループット閾値を予め設定し、基地局がＩＵＢインターフェースを介してＨＳＤＰＡデータパケットを受信するたびに、現在の測定周期内でＩＵＢインターフェースを通過したＨＳＤＰＡスループットを計算し、かつ本測定周期内のスループットをＩＵＢインターフェーススループット閾値と比較し、ＩＵＢインターフェーススループット閾値以上である場合、フロー制御メカニズムにより、ＲＮＣからＨＳＤＰＡデータパケットを送信することを禁止し、ＩＵＢインターフェーススループット閾値より小さい場合、ＲＮＣからＨＳＤＰＡデータパケットを送信することを許可する。
【００５２】
ＨＳＤＰＡにおいて、ＩＵＢインターフェースは各ユーザに対するスループット制御メカニズムを有する。具体的に、フロー制御メカニズムは、基地局からＲＮＣへフロー制御割当フレームを送信することにより実現される。該フロー制御割当フレームは、ＲＮＣから基地局にＨＳＤＰＡデータパケットを送信しないように制御することができ、ＲＮＣからあるレートでＨＳＤＰＡデータパケットを送信するように制御することもできる。したがって、基地局は、ＩＵＢインターフェースのスループットが予め設定された閾値に達することを検出すると、フロー制御フレームにより、ＲＮＣからＨＳＤＰＡデータパケットを送信することを停止するように制御する。これにより、スループットが許可される限り、最多のデータの伝送を実現する。
【００５３】
以上は、基地局の同時にアクティブなユーザ数、ＨＳ−ＰＤＳＣＨライセンスコード数、チャネルの変調方式、及びＨＳＤＰＡスループットを指標として、ＨＳＤＰＡにおけるライセンスを制御する実施例である。実際のネットワークオペレーション過程において、ライセンスの制御を実現するために、上述した４つの指標の中から任意の１つ、２つ、３つ又は全部を選択してよい。
【００５４】
また、本発明の実施例は、ＨＳＤＰＡにおけるライセンスの制御を実現する基地局を提供している。図３は、本発明の一実施例において、ＨＳＤＰＡにおけるライセンスの制御を実現する基地局の概略を示す図である。該基地局は、ユーザ数制御モジュール、ライセンスコード数制御モジュール、変調方式制御モジュール、及びスループット制御モジュールを含む。
【００５５】
ユーザ数制御モジュールは、基地局の同時にアクティブなＨＳＤＰＡユーザ数を制御し、設定手段、第１判断手段、第２判断手段、比較手段、計算手段、及び処理手段を含む。
【００５６】
設定手段は、基地局の同時にアクティブ可能なＨＳＤＰＡユーザの最大数を予め設定し、設定したＨＳＤＰＡユーザの最大数を後続処理のために比較手段に送信する。第１判断手段は、基地局のＨＳＤＰＡユーザ変化が現れるかどうかを判断し、ＨＳＤＰＡユーザ変化が現れる場合、第２判断手段に通知し、ＨＳＤＰＡユーザ変化が現れない場合、続いて判断する。第２判断手段は、第１判断手段からの通知を受信した後、このときのＨＳＤＰＡユーザ変化がユーザ確立であるかどうかを判断し、ユーザ確立である場合、比較手段に通知する。比較手段は、設定手段で予め設定されたＨＳＤＰＡユーザの最大数に基づいて、基地局のＨＳＤＰＡユーザ数と１との和が、基地局の同時にアクティブ可能なＨＳＤＰＡユーザの最大数より大きいかどうかを判断し、大きい場合、基地局のユーザ数を変更せず、大きくない場合、ユーザ変化前の基地局のＨＳＤＰＡユーザ数に１を足して、基地局のＨＳＤＰＡユーザ数を更新し、その後計算結果を処理手段に送信する。処理手段は、計算結果に基づいて該ユーザの確立を拒絶又は許可し、即ち、基地局のＨＳＤＰＡユーザ数と１との和が、基地局の同時にアクティブ可能なＨＳＤＰＡユーザの最大数より大きい場合、該ユーザの確立を拒絶し、基地局のＨＳＤＰＡユーザ数と１との和が、基地局の同時にアクティブ可能なＨＳＤＰＡユーザの最大数より大きくない場合、該ユーザの確立を許可する。第２判断手段は、第１判断手段からの通知を受信した後、このときのＨＳＤＰＡユーザ変化がユーザ確立ではない場合、計算手段に直接に通知する。計算手段は、今回のユーザ変化前の基地局のＨＳＤＰＡユーザ数から１を引いて、基地局のＨＳＤＰＡユーザ数を更新する。
【００５７】
基地局のＨＳＤＰＡユーザ変化は、ユーザ確立とユーザ削除とを含む。
【００５８】
ユーザ数制御モジュールにより、基地局の同時にアクティブなＨＳＤＰＡユーザ数を制御することができ、ユーザと基地局の要求が両方とも配慮され、基地局のサポートする最大ユーザ数を超えない場合、ユーザの同時にオンラインする要求が満たされている。これにより、ネットワーク側のリソースが足りる限り、最大数のユーザにサービスを提供することができる。
【００５９】
ライセンスコード数制御モジュールは、基地局のカバーするセルのＨＳ−ＰＤＳＣＨライセンスコード数を制御し、コード数判断手段、コード数処理手段、コード数比較手段、及びコード数管理手段を含む。
【００６０】
ＲＮＣは、ネットワーク計画に従って、基地局のカバーするセルにＨＳ−ＰＤＳＣＨライセンスコードを割当てる。コード数判断手段は、基地局のカバーするセルにＲＮＣにより割当てられたコードを受信した際、該セルのＨＳ−ＰＤＳＣＨライセンスコード数が変更されるかどうかを判断し、変更される場合、コード数処理手段に通知し、変更されない場合、続いて判断する。コード数処理手段は、ＨＳ−ＰＤＳＣＨライセンスコード数変更後該セルに割当てられるＨＳ−ＰＤＳＣＨライセンスコード数を決定し、かつ基地局のカバーする他セルに割当てられるＨＳ−ＰＤＳＣＨライセンスコード数の和Ｈ−ｃｏｄｅを決定し、その結果をコード数比較手段に送信する。コード数比較手段は、該セル以外の他セルに割当てられるＨＳ−ＰＤＳＣＨライセンスコード数の和Ｈ−ｃｏｄｅに、該セルに割当てられるＨＳ−ＰＤＳＣＨライセンスコード数を足した結果を、基地局のＨＳ−ＰＤＳＣＨライセンスコード数と比較して、比較結果をコード数管理手段に送信する。該セル以外の他セルに割当てられるＨＳ−ＰＤＳＣＨライセンスコード数の和Ｈ−ｃｏｄｅに、該セルに割当てられるＨＳ−ＰＤＳＣＨライセンスコード数を足した結果が、基地局のＨＳ−ＰＤＳＣＨライセンスコード数より大きい場合、コード数管理手段は、該セルに割当てられるＨＳ−ＰＤＳＣＨライセンスコード数を基地局のＨＳ−ＰＤＳＣＨライセンスコード数とＨ−ｃｏｄｅとの差に等しくするように決定し、該セル以外の他セルに割当てられるＨＳ−ＰＤＳＣＨライセンスコード数の和Ｈ−ｃｏｄｅに、該セルに割当てられるＨＳ−ＰＤＳＣＨライセンスコード数を足した結果が、基地局のＨＳ−ＰＤＳＣＨライセンスコード数より大きくない場合、該セルに割当てられるＨＳ−ＰＤＳＣＨライセンスコード数を変更後の割当てられるＨＳ−ＰＤＳＣＨライセンスコード数に等しくする。コード数制御モジュールにより、基地局のカバーする各セルのＨＳ−ＰＤＳＣＨライセンスコード数を制御し、基地局のＨＳ−ＰＤＳＣＨライセンスコード数が足りない場合、変更セルにＨＳ−ＰＤＳＣＨライセンスコードを最大限に提供することができる。これにより、ネットワーク側のリソースが足りる限り、セルに最大数のＨＳ−ＰＤＳＣＨライセンスコードを提供することができる。
【００６１】
変調方式制御モジュールは、ＨＳ−ＰＤＳＣＨチャネルの変調方式を決定し、変調方式判断手段と変調方式選択手段とを含む。
【００６２】
ＨＳ−ＰＤＳＣＨチャネルの変調方式は、ＱＰＳＫ又は１６ＱＡＭであってよい。ＨＳ−ＰＤＳＣＨライセンスコード数が同じである場合、変調方式が１６ＱＡＭであるときサポートする伝送ブロックは、変調方式がＱＰＳＫであるときサポートする伝送ブロックより大きい。したがって、変調方式判断手段は、ＨＳＤＰＡライセンスが１６ＱＡＭの変調方式を満たすかどうかを判断し、満たす場合、変調方式選択手段は、１６ＱＡＭの変調方式を好ましいものとし、満たさない場合、ＱＰＳＫを変調方式として選択する。これにより、ＨＳ−ＰＤＳＣＨライセンスコード数が同じである場合、より多いデータを伝送することができ、ＨＳＤＰＡにおけるライセンスの能力を向上させる。
【００６３】
スループット制御モジュールは、基地局と無線ネットワークコントローラとの間のＩＵＢインターフェースのスループットを制御し、閾値設定手段、スループット計算手段、スループット比較手段、及びスループット制御手段を含む。
【００６４】
閾値設定手段は、測定周期内のＩＵＢインターフェーススループット閾値を設定し、設定したＩＵＢインターフェーススループット閾値をスループット比較手段に送信する。基地局がＩＵＢインターフェースを介してＲＮＣからのＨＳＤＰＡデータパケットを受信するたびに、スループット計算手段は、現在の測定周期内でＩＵＢインターフェースを通過したＨＳＤＰＡスループットを計算して、該ＨＳＤＰＡスループットをスループット比較手段に送信する。スループット比較手段は、スループット計算手段から送信されたＨＳＤＰＡスループットをＩＵＢインターフェーススループット閾値と比較し、ＩＵＢインターフェーススループット閾値を超える場合、スループット制御手段は、フロー制御メカニズムにより、ＲＮＣからＨＳＤＰＡデータパケットを送信することを禁止し、ＩＵＢインターフェーススループット閾値を超えない場合、ＲＮＣからＨＳＤＰＡデータパケットを送信することを許可する。
【００６５】
スループット制御手段は、フロー制御メカニズムにより、ＲＮＣから基地局にＨＳＤＰＡデータパケットを送信しないように制御することができ、ＲＮＣからあるレートでＨＳＤＰＡデータパケットを送信するように制御することもできる。これにより、スループット閾値を予め設定することによりＩＵＢインターフェースのＨＳＤＰＡスループットを制御し、スループットが許可される限り、最多のデータの伝送を実現する。
【００６６】
以上はＨＳＤＰＡにおけるライセンスの制御を実現する基地局の一実施形態にすぎず、実際の応用において、該基地局は、ユーザ数制御モジュール、ライセンスコード数制御モジュール、変調方式制御モジュール、及びスループット制御モジュールのうち１つ又は任意の組合せを含むようにしてよい。
【００６７】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図面の簡単な説明】
【００６８】
【図１】本発明の実施例において、基地局の同時にアクティブなＨＳＤＰＡユーザ数を制御することによりライセンスを制御する方法のフローチャートである。
【図２】本発明の実施例において、基地局のＨＳ−ＰＤＳＣＨライセンスコード数を制御することによりライセンスを制御する方法のフローチャートである。
【図３】本発明の実施例において、ＨＳＤＰＡにおけるライセンスの制御を実現する基地局の概略を示す図である。
【符号の説明】
【００６９】
１０１〜１０８  ステップ
２０１〜２０７  ステップ
【図１】
2009522883.tif 000004
【図２】
2009522883.tif 000005
【図３】
2009522883.tif 000006
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
高速ダウンリンクパケットアクセス（ＨＳＤＰＡ）におけるライセンスの制御方法であって、
基地局の同時にアクティブなＨＳＤＰＡユーザ数、高速物理ダウンリンク共有チャネル（ＨＳ−ＰＤＳＣＨ）ライセンスコード数、ＨＳ−ＰＤＳＣＨの変調方式、及びＨＳＤＰＡスループットのうち１つ又は任意の組合せを制御することにより、ＨＳＤＰＡにおけるライセンスを制御することを含むことを特徴とする方法。
【請求項２】
基地局の同時にアクティブ可能なＨＳＤＰＡユーザの最大数を予め設定し、
前記基地局の同時にアクティブなＨＳＤＰＡユーザ数を制御することは、
基地局にＨＳＤＰＡユーザ確立が現れるかそれともＨＳＤＰＡユーザ削除が現れるかを判断し、ＨＳＤＰＡユーザ削除が現れる場合、今回のユーザ変化前の基地局の同時にアクティブなＨＳＤＰＡユーザ数から１を引くことにより、基地局の同時にアクティブなＨＳＤＰＡユーザ数を更新し、本ステップに戻るステップＡ１と、
前記ステップＡ１における判断で、ＨＳＤＰＡユーザ確立が現れる場合、基地局の同時にアクティブなＨＳＤＰＡユーザ数と１との和が基地局の同時にアクティブ可能なＨＳＤＰＡユーザの最大数より大きいかどうかを判断し、大きい場合、該ユーザの確立を拒絶して、ステップＡ１に戻り、大きくない場合、該ユーザの確立を許可して、ユーザ変化前の基地局の同時にアクティブなＨＳＤＰＡユーザ数に１を足すことにより、基地局の同時にアクティブなＨＳＤＰＡユーザ数を更新し、その後ステップＡ１に戻るステップＡ２とを含むことを特徴とする請求項１に記載の方法。
【請求項３】
前記ステップＡ１の前に、基地局の同時にアクティブなＨＳＤＰＡユーザ数を０に初期化することをさらに含むことを特徴とする請求項２に記載の方法。
【請求項４】
前記ＨＳ−ＰＤＳＣＨライセンスコード数を制御することは、
無線ネットワークコントローラ（ＲＮＣ）が基地局のカバーするセルのコード数を変更しようとするとき、変更後該セルに割当てられるＨＳ−ＰＤＳＣＨライセンスコード数を決定し、かつ基地局のカバーする他セルに割当てられるＨＳ−ＰＤＳＣＨライセンスコード数の和を決定するステップＢ１と、
基地局のカバーする変更セル以外の他セルに割当てられるＨＳ−ＰＤＳＣＨライセンスコード数の和に、変更後変更セルに割当てられるＨＳ−ＰＤＳＣＨライセンスコード数を足した結果が、基地局のＨＳ−ＰＤＳＣＨライセンスコード数より大きいかどうかを判断し、大きい場合、該セルに割当てられるＨＳ−ＰＤＳＣＨライセンスコード数を、基地局のＨＳ−ＰＤＳＣＨライセンスコード数から前記他セルに割当てられるＨＳ−ＰＤＳＣＨライセンスコード数の和を引いた差に等しくし、ステップＢ１に戻り、大きくない場合、該セルに割当てられるＨＳ−ＰＤＳＣＨライセンスコード数を変更後の割当てられるＨＳ−ＰＤＳＣＨライセンスコード数に等しくし、ステップＢ１に戻るステップＢ２とを含むことを特徴とする請求項１に記載の方法。
【請求項５】
前記ステップＢ１の前に、ネットワーク計画に従って基地局のカバーするセルにＨＳ−ＰＤＳＣＨライセンスコードを割当てることをさらに含むことを特徴とする請求項４に記載の方法。
【請求項６】
前記ＨＳ−ＰＤＳＣＨチャネルの変調方式を制御することは、
ＨＳＤＰＡライセンスが１６ＱＡＭの要求を満たす場合、１６ＱＡＭをＨＳ−ＰＤＳＣＨチャネルの変調方式に決定することを含むことを特徴とする請求項１に記載の方法。
【請求項７】
測定周期内のＩＵＢインターフェーススループット閾値を予め設定し、
前記ＨＳＤＰＡスループットを制御することは、
ＩＵＢインターフェースを介してＨＳＤＰＡデータパケットを受信し、
現在の測定周期内でＩＵＢインターフェースを通過したＨＳＤＰＡスループットを計算し、
現在の測定周期内のＨＳＤＰＡスループットが前記インターフェーススループット閾値より小さい場合、ＲＮＣからＨＳＤＰＡデータパケットを送信することを許可することを含むことを特徴とする請求項１に記載の方法。
【請求項８】
現在の測定周期内のＨＳＤＰＡスループットが前記ＩＵＢインターフェーススループット閾値以上である場合、フロー制御メカニズムにより、ＲＮＣからＨＳＤＰＡデータパケットを送信することを禁止することをさらに含むことを特徴とする請求項７に記載の方法。
【請求項９】
高速ダウンリンクパケットアクセス（ＨＳＤＰＡ）におけるライセンス制御を実現する基地局であって、
基地局の同時にアクティブなＨＳＤＰＡユーザ数を制御するユーザ数制御モジュールと、
基地局のカバーするセルのＨＳ−ＰＤＳＣＨライセンスコード数を制御するライセンスコード数制御モジュールと、
ＨＳ−ＰＤＳＣＨチャネルの変調方式を決定する変調方式制御モジュールと、
基地局と無線ネットワークコントローラとの間のＩＵＢインターフェースのスループットを制御するスループット制御モジュールとのうち１つ又は任意の組合せを含むことを特徴とする基地局。
【請求項１０】
前記ユーザ数制御モジュールが、
基地局の同時にアクティブ可能なＨＳＤＰＡユーザの最大数を設定する設定手段と、
ＨＳＤＰＡユーザ確立が現れるかそれともＨＳＤＰＡユーザ削除が現れるかを判断する判断手段と、
ＨＳＤＰＡユーザ確立が現れると前記判断手段により判断された場合、基地局の同時にアクティブなＨＳＤＰＡユーザ数と１との和を、前記設定手段で設定された、基地局の同時にアクティブ可能なＨＳＤＰＡユーザの最大数と比較する比較手段と、
ＨＳＤＰＡユーザ削除が現れると前記判断手段により判断された場合、該基地局の同時にアクティブなＨＳＤＰＡユーザ数を１減算し、該基地局の同時にアクティブなＨＳＤＰＡユーザ数が、該基地局の同時にアクティブ可能なＨＳＤＰＡユーザの最大数以下であると前記比較手段により判断された場合、該基地局の同時にアクティブなＨＳＤＰＡユーザ数を１加算する計算手段と、
該基地局の同時にアクティブなＨＳＤＰＡユーザ数と１との和が、該基地局の同時にアクティブ可能なＨＳＤＰＡユーザの最大数以下であると前記比較手段により判断された場合、ＨＳＤＰＡユーザ確立を実行し、該基地局の同時にアクティブなＨＳＤＰＡユーザ数と１との和が、該基地局の同時にアクティブ可能なＨＳＤＰＡユーザの最大数より大きいと前記比較手段により判断された場合、ＨＳＤＰＡユーザ確立を拒絶し、ＨＳＤＰＡユーザ削除が現れると前記判断手段により判断された場合、ＨＳＤＰＡユーザ削除を実行する処理手段と、
を含むことを特徴とする請求項９に記載の基地局。
【請求項１１】
前記ライセンスコード数制御モジュールが、
ＲＮＣにより割当てられた、基地局のカバーするセルのＨＳ−ＰＤＳＣＨライセンスコードを受信した際、該セルのＨＳ−ＰＤＳＣＨライセンスコード数が変更されるかどうかを判断するコード数判断手段と、
該セルのＨＳ−ＰＤＳＣＨライセンスコード数が変更されると前記コード数判断手段により判断された場合、該セルに割当てられるＨＳ−ＰＤＳＣＨライセンスコード数を決定し、該基地局のカバーする他セルに割当てられるＨＳ−ＰＤＳＣＨライセンスコード数の和を決定するコード数処理手段と、
該基地局のカバーする該セル以外の他セルに割当てられるＨＳ−ＰＤＳＣＨライセンスコード数の和に、該セルに割当てられるＨＳ−ＰＤＳＣＨライセンスコード数を足した結果を、基地局のＨＳ−ＰＤＳＣＨライセンスコード数と比較するコード数比較手段と、
該基地局のカバーする該セル以外の他セルに割当てられるＨＳ−ＰＤＳＣＨライセンスコード数と、該セルに割当てられるＨＳ−ＰＤＳＣＨライセンスコード数との和が、該基地局のＨＳ−ＰＤＳＣＨライセンスコード数より大きいと前記コード数比較手段により判断された場合、該セルに割当てられるＨＳ−ＰＤＳＣＨライセンスコード数を、該基地局のＨＳ−ＰＤＳＣＨライセンスコード数と、該基地局のカバーする他セルに割当てられるＨＳ−ＰＤＳＣＨライセンスコード数との差に等しくし、該基地局のカバーする該セル以外の他セルに割当てられるＨＳ−ＰＤＳＣＨライセンスコード数と、該セルに割当てられるＨＳ−ＰＤＳＣＨライセンスコード数との和が、該基地局のＨＳ−ＰＤＳＣＨライセンスコード数より大きくない場合、該セルに割当てられるＨＳ−ＰＤＳＣＨライセンスコード数を、変更後の割当てられるＨＳ−ＰＤＳＣＨライセンスコード数に等しくするコード数管理手段と、
を含むことを特徴とする請求項９に記載の基地局。
【請求項１２】
前記変調方式制御モジュールが、
ＨＳＤＰＡライセンスが１６ＱＡＭの要求を満たすかどうかを判断する変調方式判断手段と、
ＨＳＤＰＡライセンスが１６ＱＡＭの要求を満たすと前記変調方式判断手段により判断された場合、１６ＱＡＭをＨＳ−ＰＤＳＣＨチャネルの変調方式に決定する変調方式選択手段と、
を含むことを特徴とする請求項９に記載の基地局。
【請求項１３】
前記スループット制御モジュールが、
測定周期内のＩＵＢインターフェーススループット閾値を設定する閾値設定手段と、
ＩＵＢインターフェースを介してＨＳＤＰＡデータパケットを受信した後、前記測定周期内で前記ＩＵＢインターフェースを通過したＨＳＤＰＡスループットを計算するスループット計算手段と、
前記スループット計算手段からのＨＳＤＰＡスループットをＩＵＢインターフェーススループット閾値と比較するスループット比較手段と、
前記ＨＳＤＰＡスループットが前記測定周期内のＩＵＢインターフェーススループット閾値より小さい場合、ＲＮＣからＨＳＤＰＡデータパケットを送信することを許可し、前記ＨＳＤＰＡスループットが前記測定周期内のＩＵＢインターフェーススループット閾値より大きい場合、ＲＮＣからＨＳＤＰＡデータパケットを送信することを禁止するスループット制御手段と、
を含むことを特徴とする請求項９に記載の基地局。
【国際調査報告】
2009522883.tif 000007
2009522883.tif 000008
2009522883.tif 000009
2009522883.tif 000010